(57)【特許請求の範囲】
【請求項１】
鋼製床版の点検システムであって、
前記鋼製床版はデッキプレートの下面に溶接で取り付けられたＵ字形の鋼材を備え、かつ、前記デッキプレートの下面と前記Ｕ字形の鋼材の内面で形成される空間は閉鎖空間となっており、
水蒸気量に依存するパラメータと気温との関係を前記閉鎖空間の中の空気について観測する観測手段と、
前記観測手段で観測された前記パラメータと気温との関係に基づき、前記デッキプレート、前記Ｕ字形の鋼材および前記デッキプレートと前記Ｕ字形の鋼材との溶接部のうちの少なくともいずれかに貫通亀裂が生じているか否かを判断する判断手段と、
を備えることを特徴とする鋼製床版の点検システム。
【請求項２】
前記判断手段は、前記観測手段で観測された点検時の前記パラメータと気温との関係が、前記デッキプレートおよび前記Ｕ字形の鋼材のいずれにも貫通亀裂が生じていない状態における前記パラメータと気温との関係と一致しないとき、前記デッキプレート、前記Ｕ字形の鋼材および前記デッキプレートと前記Ｕ字形の鋼材との溶接部のうちの少なくともいずれかに貫通亀裂が生じていると判断することを特徴とする請求項１に記載の鋼製床版の点検システム。
【請求項３】
前記判断手段は、前記観測手段で観測された前記パラメータと気温との関係に変化があったとき、前記デッキプレート、前記Ｕ字形の鋼材および前記デッキプレートと前記Ｕ字形の鋼材との溶接部のうちの少なくともいずれかに貫通亀裂が生じていると判断することを特徴とする請求項１に記載の鋼製床版の点検システム。
【請求項４】
鋼製床版の点検システムであって、
前記鋼製床版はデッキプレートの下面に溶接で取り付けられたＵ字形の鋼材を備え、かつ、前記デッキプレートの下面と前記Ｕ字形の鋼材の内面で形成される空間は閉鎖空間となっており、
水蒸気量に依存するパラメータと気温との関係を前記閉鎖空間の中の空気について観測する内気観測手段と、
水蒸気量に依存する前記パラメータと気温との関係を前記閉鎖空間の外の空気について観測する外気観測手段と、
前記内気観測手段で観測された前記パラメータと気温との関係を、前記外気観測手段で観測された前記パラメータと気温との関係と比較することにより、前記デッキプレート、前記Ｕ字形の鋼材および前記デッキプレートと前記Ｕ字形の鋼材との溶接部のうちの少なくともいずれかに貫通亀裂が生じているか否かを判断する判断手段と、
を備えることを特徴とする鋼製床版の点検システム。
【請求項５】
前記判断手段は、前記内気観測手段で観測された前記パラメータと気温との関係が、前記外気観測手段で観測された前記パラメータと気温との関係と一致するとき、前記デッキプレート、前記Ｕ字形の鋼材および前記デッキプレートと前記Ｕ字形の鋼材との溶接部のうちの少なくともいずれかに貫通亀裂が生じていると判断することを特徴とする請求項４に記載の鋼製床版の点検システム。
【請求項６】
鋼製床版の点検システムであって、
前記鋼製床版はデッキプレートの下面に溶接で取り付けられた複数のＵ字形の鋼材を備え、かつ、前記デッキプレートの下面と前記Ｕ字形の鋼材の内面で形成される空間は閉鎖空間となっており、
水蒸気量に依存するパラメータと気温との関係を前記閉鎖空間の中の空気について観測する第１の観測手段と、
水蒸気量に依存する前記パラメータと気温との関係を前記第１の観測手段で観測する閉鎖空間とは異なる前記閉鎖空間の中の空気について観測する第２の観測手段と、
前記第１の観測手段で観測された前記パラメータと気温との関係を、前記第２の観測手段で観測された前記パラメータと気温との関係と比較することにより、前記観測を行った閉鎖空間に関係する前記デッキプレート、前記Ｕ字形の鋼材および前記デッキプレートと前記Ｕ字形の鋼材との溶接部のうちの少なくともいずれかに貫通亀裂が生じているか否かを判断する判断手段と、
を備えることを特徴とする鋼製床版の点検システム。
【請求項７】
前記判断手段は、前記第１の観測手段で観測された前記パラメータと気温との関係が、前記第２の観測手段で観測された前記パラメータと気温との関係と一致しないとき、前記観測を行った閉鎖空間に関係する前記デッキプレート、前記Ｕ字形の鋼材および前記デッキプレートと前記Ｕ字形の鋼材との溶接部のうちの少なくともいずれかに貫通亀裂が生じていると判断することを特徴とする請求項６に記載の鋼製床版の点検システム。
【請求項８】
鋼製床版の点検方法であって、
前記鋼製床版はデッキプレートの下面に溶接で取り付けられたＵ字形の鋼材を備え、かつ、前記デッキプレートの下面と前記Ｕ字形の鋼材の内面で形成される空間は閉鎖空間となっており、
水蒸気量に依存するパラメータと気温との関係を、前記デッキプレートおよび前記Ｕ字形の鋼材のいずれにも貫通亀裂が生じていない状態の前記閉鎖空間の中の空気について観測する健全時観測工程と、
水蒸気量に依存する前記パラメータと気温との関係を、点検時の前記閉鎖空間の中の空気について観測する点検時観測工程と、
前記点検時観測工程で観測された前記パラメータと気温との関係を、前記健全時観測工程で観測された前記パラメータと気温との関係と比較することにより、前記デッキプレート、前記Ｕ字形の鋼材および前記デッキプレートと前記Ｕ字形の鋼材との溶接部のうちの少なくともいずれかに貫通亀裂が生じているか否かを判断する判断工程と、
を備えることを特徴とする鋼製床版の点検方法。
【請求項９】
前記判断工程において、前記点検時観測工程で観測された前記パラメータと気温との関係が、前記健全時観測工程で観測された前記パラメータと気温との関係と一致しないとき、前記デッキプレート、前記Ｕ字形の鋼材および前記デッキプレートと前記Ｕ字形の鋼材との溶接部のうちの少なくともいずれかに貫通亀裂が生じていると判断することを特徴とする請求項８に記載の鋼製床版の点検方法。
【請求項１０】
鋼製床版の点検方法であって、
前記鋼製床版はデッキプレートの下面に溶接で取り付けられたＵ字形の鋼材を備え、かつ、前記デッキプレートの下面と前記Ｕ字形の鋼材の内面で形成される空間は閉鎖空間となっており、
前記閉鎖空間の中の空気について、水蒸気量に依存するパラメータと気温との関係を継続的に観測する観測工程と、
前記観測工程で観測された前記パラメータと気温との関係に変化があったとき、前記デッキプレート、前記Ｕ字形の鋼材および前記デッキプレートと前記Ｕ字形の鋼材との溶接部のうちの少なくともいずれかに貫通亀裂が生じていると判断する判断工程と、
を備えることを特徴とする鋼製床版の点検方法。
【請求項１１】
鋼製床版の点検方法であって、
前記鋼製床版はデッキプレートの下面に溶接で取り付けられたＵ字形の鋼材を備え、かつ、前記デッキプレートの下面と前記Ｕ字形の鋼材の内面で形成される空間は閉鎖空間となっており、
水蒸気量に依存するパラメータと気温との関係を、前記閉鎖空間の中の空気と前記閉鎖空間の外の空気について同時に観測する観測工程と、
前記閉鎖空間の中の空気について観測された前記パラメータと気温との関係を、前記閉鎖空間の外の空気について観測された前記パラメータと気温との関係と比較することにより、前記デッキプレート、前記Ｕ字形の鋼材および前記デッキプレートと前記Ｕ字形の鋼材との溶接部のうちの少なくともいずれかに貫通亀裂が生じているか否かを判断する判断工程と、
を備えることを特徴とする鋼製床版の点検方法。
【請求項１２】
前記判断工程において、前記閉鎖空間の中の空気について観測された前記パラメータと気温との関係が、前記閉鎖空間の外の空気について観測された前記パラメータと気温との関係と一致するとき、前記デッキプレート、前記Ｕ字形の鋼材および前記デッキプレートと前記Ｕ字形の鋼材との溶接部のうちの少なくともいずれかに貫通亀裂が生じていると判断することを特徴とする請求項１１に記載の鋼製床版の点検方法。
【請求項１３】
鋼製床版の点検方法であって、
前記鋼製床版はデッキプレートの下面に溶接で取り付けられた複数のＵ字形の鋼材を備え、かつ、前記デッキプレートの下面と前記Ｕ字形の鋼材の内面で形成される空間は閉鎖空間となっており、
水蒸気量に依存するパラメータと気温との関係を前記閉鎖空間の中の空気について観測する第１の観測工程と、
水蒸気量に依存する前記パラメータと気温との関係を前記第１の観測工程で観測する閉鎖空間とは異なる前記閉鎖空間の中の空気について観測する第２の観測工程と、
前記第１の観測工程で観測された前記パラメータと気温との関係を、前記第２の観測工程で観測された前記パラメータと気温との関係と比較することにより、前記観測を行った前記閉鎖空間に関係する前記デッキプレート、前記Ｕ字形の鋼材および前記デッキプレートと前記Ｕ字形の鋼材との溶接部のうちの少なくともいずれかに貫通亀裂が生じているか否かを判断する判断工程と、
を備えることを特徴とする鋼製床版の点検方法。
【請求項１４】
前記判断工程において、前記第１の観測工程で観測された前記パラメータと気温との関係が、前記第２の観測工程で観測された前記パラメータと気温との関係と一致しないとき、前記観測を行った前記閉鎖空間に関係する前記デッキプレート、前記Ｕ字形の鋼材および前記デッキプレートと前記Ｕ字形の鋼材との溶接部のうちの少なくともいずれかに貫通亀裂が生じていると判断することを特徴とする請求項１３に記載の鋼製床版の点検方法。
【発明の詳細な説明】
【技術分野】
【０００１】
本発明は、鋼製床版の点検システムおよび点検方法に関し、特に、デッキプレートとＵ字形の鋼材（以下、Ｕリブと記すことがある。）を備えた鋼製床版の点検システムおよび点検方法に関する。
【０００２】
ここで、Ｕリブはデッキプレートの下面に溶接で取り付けられており、デッキプレートの下面とＵリブの内面で形成される空間は閉鎖空間となっている。Ｕリブの内面には適当な間隔でダイヤフラムが設けられていることが多く、この場合には、Ｕリブの内面とデッキプレートの下面およびダイヤフラムとで形成される空間が閉鎖空間となる。
【背景技術】
【０００３】
高架構造の道路の床版においては、Ｕリブを備えた鋼製床版の上面に舗装を施してなる構造が多く用いられている。
【０００４】
しかしながら、近年、この構造の床版において、Ｕリブとデッキプレートとの溶接部における疲労亀裂の発生が、報告されるようになってきている。
【０００５】
この疲労亀裂の形態としては、溶接ルート部から溶接ビード方向に進展する形態（図２０参照）および溶接ルート部からデッキプレートの板厚方向に進展する形態（図２１参照）の２種類が確認されている。図２０および図２１は、デッキプレート５０２の下面にＵリブ５０４が溶接で取り付けられてなる鋼製床版５００を、Ｕリブ５０４の長手方向と直交する面で切断した断面図で、溶接部である溶接ビード５０６付近を拡大して示す拡大断面図である。図２０および図２１において、デッキプレート５０２の下面にＵリブ５０４が溶接により取り付けられており、その溶接部が溶接ビード５０６である。デッキプレート５０２の上方に舗装６００が配置されている。図２０は、疲労亀裂５１０が溶接ルート部５０８から溶接ビード５０６方向に進展した状態を示しており、図２１は、疲労亀裂５１２が溶接ルート部５０８からデッキプレート５０２の板厚方向に進展した状態を示している。
【０００６】
疲労亀裂を検出可能な探傷方法としては、例えば磁粉探傷や浸透探傷があるが、これらの探傷法は、表面近傍のものしか検出することができない。このため、溶接ビード方向に進展した亀裂しか検出できず、デッキプレートの板厚方向に進展した亀裂は検出できない。また、溶接箇所ごとに点検を行う必要があり、手間がかかる。また、足場や高所作業車が必要となる。
【０００７】
一方、非特許文献１、２においては超音波を用いた検出方法が提案されている。超音波を用いた検出方法では、溶接ビード方向に進展した亀裂だけでなく、溶接ルート部からデッキプレートの板厚方向に進展した亀裂も検出可能である。しかし、超音波を用いた検出方法では、技術知識および技量を有する作業者が必要であるだけでなく、作業者の技量によって結果に差が生じてしまうことがある。
【０００８】
特許文献１〜３においては、超音波を用いて探傷する際に用いる補助装置が提案されているが、結局のところ超音波を用いた検出方法であり、最終的には技術知識および技量を有する作業者が必要である。
【０００９】
また、非特許文献１、２および特許文献１〜３に記載の方法は、いずれも超音波を用いる検査方法であるため、対象物に探触子を直接接触させる必要があり、溶接箇所ごとに点検を行う必要があり、手間がかかる。また、足場や高所作業車が必要となる。
【００１０】
以上挙げた方法以外にも、例えば赤外線を用いる方法（例えば特許文献４参照）や渦電流を用いる方法（例えば特許文献５参照）がある。これらの方法は路面上から検査を行う方法であり、足場や高所作業車が不要である点では簡便であるが、舗装を介して行う検出方法であるため、検出精度には限界がある。また、溶接箇所ごとに点検を行う必要があり、手間がかかる。
【先行技術文献】
【特許文献】
【００１１】
【特許文献１】特開２０１２−９８１９３号公報
【特許文献２】特開２００８−２０９２３１号公報
【特許文献３】特開２００８−２４９５１０号公報
【特許文献４】特開２０１０−２６５７０４号公報
【特許文献５】特開２０１２−１０７９１９号公報
【非特許文献】
【００１２】
【非特許文献１】村越潤、外３名、「鋼床版き裂の超音波探傷法」、平成２２年度  国土交通省  国土技術研究会  自由課題（イノベーション部門）  発表要旨、インターネット＜http://www.mlit.go.jp/chosahokoku/h22giken/program/kadai/pdf/innovation/inno1-06.pdf＞
【非特許文献２】「鋼床版 Ｕリブ内滞水調査技術セミナー開催報告」、独立行政法人土木研究所  構造物メンテナンス研究センター（CAESAR）  CAESAR  NEWSLETTER  第１２号、インターネット＜http://www.pwri.go.jp/caesar/public/pdf/caesar-newsletter_012.pdf＞
【発明の概要】
【発明が解決しようとする課題】
【００１３】
本発明は、かかる問題点に鑑みてなされたものであって、デッキプレートの下面に溶接で取り付けられたＵリブを備える鋼製床版において、デッキプレート、ＵリブおよびデッキプレートとＵリブとの溶接部のうちの少なくともいずれかに存在する貫通亀裂の有無を簡便に検出することができる鋼製床版の点検システムおよび点検方法を提供することを課題とする。
【課題を解決するための手段】
【００１４】
本発明は、以下の鋼製床版の点検システムおよび点検方法により、前記課題を解決したものである。
【００１５】
即ち、本発明に係る鋼製床版の点検システムの第１の態様は、鋼製床版の点検システムであって、前記鋼製床版はデッキプレートの下面に溶接で取り付けられたＵ字形の鋼材を備え、かつ、前記デッキプレートの下面と前記Ｕ字形の鋼材の内面で形成される空間は閉鎖空間となっており、水蒸気量に依存するパラメータと気温との関係を前記閉鎖空間の中の空気について観測する観測手段と、前記観測手段で観測された前記パラメータと気温との関係に基づき、前記デッキプレート、前記Ｕ字形の鋼材および前記デッキプレートと前記Ｕ字形の鋼材との溶接部のうちの少なくともいずれかに貫通亀裂が生じているか否かを判断する判断手段と、を備えることを特徴とする鋼製床版の点検システムである。
【００１６】
前記判断手段は、例えば、前記観測手段で観測された点検時の前記パラメータと気温との関係が、前記デッキプレートおよび前記Ｕ字形の鋼材のいずれにも貫通亀裂が生じていない状態（健全時の状態）における前記パラメータと気温との関係と一致しないとき、前記デッキプレート、前記Ｕ字形の鋼材および前記デッキプレートと前記Ｕ字形の鋼材との溶接部のうちの少なくともいずれかに貫通亀裂が生じていると判断する。
【００１７】
ここで、「一致しないとき」とは、通常生じる測定誤差や測定機器間において通常存在するばらつき等による影響分を超えてずれが生じていると判断できる場合のことである。したがって、前記観測手段で観測された点検時の前記パラメータと気温との関係が、前記デッキプレートおよび前記Ｕ字形の鋼材のいずれにも貫通亀裂が生じていない状態（健全時の状態）における前記パラメータと気温との関係からずれを生じていても、そのずれが、通常生じる測定誤差や測定機器間において通常存在するばらつき等による影響分を超えていないと判断できる場合は、「一致しないとき」には該当しない。
【００１８】
また、前記判断手段は、例えば、前記観測手段で観測された前記パラメータと気温との関係に変化があったとき、前記デッキプレート、前記Ｕ字形の鋼材および前記デッキプレートと前記Ｕ字形の鋼材との溶接部のうちの少なくともいずれかに貫通亀裂が生じていると判断する。
【００１９】
ここで、「前記パラメータと気温との関係に変化があったとき」とは、例えば、横軸に気温をとり、縦軸に前記パラメータをとって描いた前回観測時のグラフ上に、今回観測した測定点が位置しなくなることを意味する。また、「前回観測時のグラフ上に、今回観測した測定点が位置しなくなる」とは、通常生じる測定誤差や測定機器間において通常存在するばらつき等による影響分を超えて、今回観測した測定点が前回観測時のグラフ上からずれていると判断できる場合のことである。したがって、今回観測した測定点が前回観測時のグラフ上からずれていても、そのずれが、通常生じる測定誤差や測定機器間において通常存在するばらつき等による影響分を超えていないと判断できる場合は、「前回観測時のグラフ上に、今回観測した測定点が位置しなくなる」には該当しない。
【００２０】
本発明に係る鋼製床版の点検システムの第２の態様は、鋼製床版の点検システムであって、前記鋼製床版はデッキプレートの下面に溶接で取り付けられたＵ字形の鋼材を備え、かつ、前記デッキプレートの下面と前記Ｕ字形の鋼材の内面で形成される空間は閉鎖空間となっており、水蒸気量に依存するパラメータと気温との関係を前記閉鎖空間の中の空気について観測する内気観測手段と、水蒸気量に依存する前記パラメータと気温との関係を前記閉鎖空間の外の空気について観測する外気観測手段と、前記内気観測手段で観測された前記パラメータと気温との関係を、前記外気観測手段で観測された前記パラメータと気温との関係と比較することにより、前記デッキプレート、前記Ｕ字形の鋼材および前記デッキプレートと前記Ｕ字形の鋼材との溶接部のうちの少なくともいずれかに貫通亀裂が生じているか否かを判断する判断手段と、を備えることを特徴とする鋼製床版の点検システムである。
【００２１】
前記判断手段は、例えば、前記内気観測手段で観測された前記パラメータと気温との関係が、前記外気観測手段で観測された前記パラメータと気温との関係と一致するとき、前記デッキプレート、前記Ｕ字形の鋼材および前記デッキプレートと前記Ｕ字形の鋼材との溶接部のうちの少なくともいずれかに貫通亀裂が生じていると判断する。
【００２２】
ここで、「一致するとき」とは、完全に一致する場合だけでなく、通常生じる測定誤差や測定機器間において通常存在するばらつき等を踏まえれば、完全に一致していなくても実質的に一致していると判断できる場合も含む概念である。
【００２３】
本発明に係る鋼製床版の点検システムの第３の態様は、鋼製床版の点検システムであって、前記鋼製床版はデッキプレートの下面に溶接で取り付けられた複数のＵ字形の鋼材を備え、かつ、前記デッキプレートの下面と前記Ｕ字形の鋼材の内面で形成される空間は閉鎖空間となっており、水蒸気量に依存するパラメータと気温との関係を前記閉鎖空間の中の空気について観測する第１の観測手段と、水蒸気量に依存する前記パラメータと気温との関係を前記第１の観測手段で観測する閉鎖空間とは異なる前記閉鎖空間の中の空気について観測する第２の観測手段と、前記第１の観測手段で観測された前記パラメータと気温との関係を、前記第２の観測手段で観測された前記パラメータと気温との関係と比較することにより、前記観測を行った閉鎖空間に関係する前記デッキプレート、前記Ｕ字形の鋼材および前記デッキプレートと前記Ｕ字形の鋼材との溶接部のうちの少なくともいずれかに貫通亀裂が生じているか否かを判断する判断手段と、を備えることを特徴とする鋼製床版の点検システムである。
【００２４】
前記判断手段は、例えば、前記第１の観測手段で観測された前記パラメータと気温との関係が、前記第２の観測手段で観測された前記パラメータと気温との関係と一致しないとき、前記観測を行った閉鎖空間に関係する前記デッキプレート、前記Ｕ字形の鋼材および前記デッキプレートと前記Ｕ字形の鋼材との溶接部のうちの少なくともいずれかに貫通亀裂が生じていると判断する。
【００２５】
ここで、「一致しないとき」とは、通常生じる測定誤差や測定機器間において通常存在するばらつき等による影響分を超えてずれが生じていると判断できる場合のことである。したがって、前記第１の観測手段で観測された前記パラメータと気温との関係が、前記第２の観測手段で観測された前記パラメータと気温との関係からずれを生じていても、そのずれが、通常生じる測定誤差や測定機器間において通常存在するばらつき等による影響分を超えていないと判断できる場合は、「一致しないとき」には該当しない。
【００２６】
本発明に係る鋼製床版の点検システムの第１から第３の態様において、前記パラメータを例えば相対湿度としてもよく、また、前記パラメータを例えば露点温度としてもよい。
【００２７】
本発明に係る鋼製床版の点検システムの第１から第３の態様において、前記観測された前記パラメータと気温との関係についてのデータは、前記判断手段へ無線で送られるように構成してもよい。
【００２８】
また、本発明に係る鋼製床版の点検システムの第１から第３の態様に警報手段を加えて、監視システムを構成することもできる。この場合、前記判断手段が前記デッキプレート、前記Ｕ字形の鋼材および前記デッキプレートと前記Ｕ字形の鋼材との溶接部のうちの少なくともいずれかに貫通亀裂が生じていると判断すると、警報手段が警報を発するように構成すればよい。
【００２９】
本発明に係る鋼製床版の点検方法の第１の態様は、鋼製床版の点検方法であって、前記鋼製床版はデッキプレートの下面に溶接で取り付けられたＵ字形の鋼材を備え、かつ、前記デッキプレートの下面と前記Ｕ字形の鋼材の内面で形成される空間は閉鎖空間となっており、水蒸気量に依存するパラメータと気温との関係を、前記デッキプレートおよび前記Ｕ字形の鋼材のいずれにも貫通亀裂が生じていない状態の前記閉鎖空間の中の空気について観測する健全時観測工程と、水蒸気量に依存する前記パラメータと気温との関係を、点検時の前記閉鎖空間の中の空気について観測する点検時観測工程と、前記点検時観測工程で観測された前記パラメータと気温との関係を、前記健全時観測工程で観測された前記パラメータと気温との関係と比較することにより、前記デッキプレート、前記Ｕ字形の鋼材および前記デッキプレートと前記Ｕ字形の鋼材との溶接部のうちの少なくともいずれかに貫通亀裂が生じているか否かを判断する判断工程と、を備えることを特徴とする鋼製床版の点検方法である。
【００３０】
前記判断工程において、例えば、前記点検時観測工程で観測された前記パラメータと気温との関係が、前記健全時観測工程で観測された前記パラメータと気温との関係と一致しないとき、前記デッキプレート、前記Ｕ字形の鋼材および前記デッキプレートと前記Ｕ字形の鋼材との溶接部のうちの少なくともいずれかに貫通亀裂が生じていると判断する。
【００３１】
ここで、「一致しないとき」とは、通常生じる測定誤差や測定機器間において通常存在するばらつき等による影響分を超えてずれが生じていると判断できる場合のことである。したがって、前記点検時観測工程で観測された前記パラメータと気温との関係が、前記健全時観測工程で観測された前記パラメータと気温との関係からずれを生じていても、そのずれが、通常生じる測定誤差や測定機器間において通常存在するばらつき等による影響分を超えていないと判断できる場合は、「一致しないとき」には該当しない。
【００３２】
本発明に係る鋼製床版の点検方法の第２の態様は、鋼製床版の点検方法であって、前記鋼製床版はデッキプレートの下面に溶接で取り付けられたＵ字形の鋼材を備え、かつ、前記デッキプレートの下面と前記Ｕ字形の鋼材の内面で形成される空間は閉鎖空間となっており、前記閉鎖空間の中の空気について、水蒸気量に依存するパラメータと気温との関係を継続的に観測する観測工程と、前記観測工程で観測された前記パラメータと気温との関係に変化があったとき、前記デッキプレート、前記Ｕ字形の鋼材および前記デッキプレートと前記Ｕ字形の鋼材との溶接部のうちの少なくともいずれかに貫通亀裂が生じていると判断する判断工程と、を備えることを特徴とする鋼製床版の点検方法である。
【００３３】
ここで、「パラメータと気温との関係に変化があったとき」とは、通常生じる測定誤差や測定機器間において通常存在するばらつき等を踏まえても、パラメータと気温との関係に実質的な変化があったと判断できる場合のことである。
【００３４】
本発明に係る鋼製床版の点検方法の第３の態様は、鋼製床版の点検方法であって、前記鋼製床版はデッキプレートの下面に溶接で取り付けられたＵ字形の鋼材を備え、かつ、前記デッキプレートの下面と前記Ｕ字形の鋼材の内面で形成される空間は閉鎖空間となっており、水蒸気量に依存するパラメータと気温との関係を、前記閉鎖空間の中の空気と前記閉鎖空間の外の空気について同時に観測する観測工程と、前記閉鎖空間の中の空気について観測された前記パラメータと気温との関係を、前記閉鎖空間の外の空気について観測された前記パラメータと気温との関係と比較することにより、前記デッキプレート、前記Ｕ字形の鋼材および前記デッキプレートと前記Ｕ字形の鋼材との溶接部のうちの少なくともいずれかに貫通亀裂が生じているか否かを判断する判断工程と、を備えることを特徴とする鋼製床版の点検方法である。
【００３５】
前記判断工程において、例えば、前記閉鎖空間の中の空気について観測された前記パラメータと気温との関係が、前記閉鎖空間の外の空気について観測された前記パラメータと気温との関係と一致するとき、前記デッキプレート、前記Ｕ字形の鋼材および前記デッキプレートと前記Ｕ字形の鋼材との溶接部のうちの少なくともいずれかに貫通亀裂が生じていると判断する。
【００３６】
ここで、「一致するとき」とは、完全に一致する場合だけでなく、通常生じる測定誤差や測定機器間において通常存在するばらつき等を踏まえれば、完全に一致していなくても実質的に一致していると判断できる場合も含む概念である。
【００３７】
本発明に係る鋼製床版の点検方法の第４の態様は、鋼製床版の点検方法であって、前記鋼製床版はデッキプレートの下面に溶接で取り付けられた複数のＵ字形の鋼材を備え、かつ、前記デッキプレートの下面と前記Ｕ字形の鋼材の内面で形成される空間は閉鎖空間となっており、水蒸気量に依存するパラメータと気温との関係を前記閉鎖空間の中の空気について観測する第１の観測工程と、水蒸気量に依存する前記パラメータと気温との関係を前記第１の観測工程で観測する閉鎖空間とは異なる前記閉鎖空間の中の空気について観測する第２の観測工程と、前記第１の観測工程で観測された前記パラメータと気温との関係を、前記第２の観測工程で観測された前記パラメータと気温との関係と比較することにより、前記観測を行った前記閉鎖空間に関係する前記デッキプレート、前記Ｕ字形の鋼材および前記デッキプレートと前記Ｕ字形の鋼材との溶接部のうちの少なくともいずれかに貫通亀裂が生じているか否かを判断する判断工程と、を備えることを特徴とする鋼製床版の点検方法である。
【００３８】
前記判断工程において、例えば、前記第１の観測工程で観測された前記パラメータと気温との関係が、前記第２の観測工程で観測された前記パラメータと気温との関係と一致しないとき、前記観測を行った前記閉鎖空間に関係する前記デッキプレート、前記Ｕ字形の鋼材および前記デッキプレートと前記Ｕ字形の鋼材との溶接部のうちの少なくともいずれかに貫通亀裂が生じていると判断する。
【００３９】
ここで、「一致しないとき」とは、通常生じる測定誤差や測定機器間において通常存在するばらつき等による影響分を超えてずれが生じていると判断できる場合のことである。したがって、前記第１の観測工程で観測された前記パラメータと気温との関係が、前記第２の観測工程で観測された前記パラメータと気温との関係からずれを生じていても、そのずれが、通常生じる測定誤差や測定機器間において通常存在するばらつき等による影響分を超えていないと判断できる場合は、「一致しないとき」には該当しない。
【００４０】
本発明に係る鋼製床版の点検方法の第１から第４の態様において、前記パラメータを例えば相対湿度としてもよく、また、前記パラメータを例えば露点温度としてもよい。
【００４１】
また、本発明に係る鋼製床版の点検方法の第１から第４の態様のいずれかを継続的に実施し、前記デッキプレートおよび前記Ｕ字形の鋼材のうちの少なくともいずれかに貫通亀裂が生じていると前記判断工程で判断すると警報を発するようにしてもよい。
【発明の効果】
【００４２】
本発明によれば、デッキプレートの下面に溶接で取り付けられたＵリブを備える鋼製床版において、デッキプレート、ＵリブおよびデッキプレートとＵリブとの溶接部のうちの少なくともいずれかに存在する貫通亀裂の有無を簡便に検出することができる。
【図面の簡単な説明】
【００４３】
【図１】本発明の適用対象となる鋼製床版を斜め下方から見た斜視図
【図２】Ｕリブに貫通亀裂が生じた場合を模式的に示す断面図
【図３】デッキプレートに貫通亀裂が生じた場合を模式的に示す断面図
【図４】横軸にＵリブ１４の内部（閉鎖空間２０）の空気温度（気温）（℃）をとり、縦軸にＵリブ１４の内部（閉鎖空間２０）の空気の相対湿度（％）をとったグラフ
【図５】横軸にＵリブ１４の内部（閉鎖空間２０）の空気温度（気温）（℃）をとり、縦軸にＵリブ１４の内部（閉鎖空間２０）の空気の露点温度（℃）をとったグラフ
【図６】第１実施形態に係る点検システムのブロック図
【図７】第１実施形態に係る点検システムの変形例のブロック図
【図８】第１実施形態に係る点検システムに対応する点検方法の第１例を示すフローチャート
【図９】第１実施形態に係る点検システムに対応する点検方法の第２例を示すフローチャート
【図１０】第１実施形態に係る点検システムに対応する点検方法を用いた監視方法の第１例を示すフローチャート
【図１１】第１実施形態に係る点検システムに対応する点検方法を用いた監視方法の第２例を示すフローチャート
【図１２】第２実施形態に係る点検システムのブロック図
【図１３】第２実施形態に係る点検システムの変形例のブロック図
【図１４】第２実施形態に係る点検システムに対応する点検方法の例を示すフローチャート
【図１５】第２実施形態に係る点検システムに対応する点検方法を用いた監視方法の例を示すフローチャート
【図１６】第３実施形態に係る点検システムのブロック図
【図１７】第３実施形態に係る点検システムの変形例のブロック図
【図１８】第３実施形態に係る点検システムに対応する点検方法の例を示すフローチャート
【図１９】第３実施形態に係る点検システムに対応する点検方法を用いた監視方法の例を示すフローチャート
【図２０】Ｕリブを備えた鋼製床版の疲労亀裂の形態の一例
【図２１】Ｕリブを備えた鋼製床版の疲労亀裂の形態の一例
【発明を実施するための形態】
【００４４】
以下ではまず本発明の原理を説明し、その後に、本発明の実施形態に係る鋼製床版の点検システムおよび点検方法を説明するとともに、本発明の実施形態に係る鋼製床版の点検システムおよび点検方法をそれぞれ用いて構成した監視システムおよび監視方法についても説明する。
【００４５】
（１）本発明の原理
図１は、本発明の適用対象となる鋼製床版を斜め下方から見た斜視図である。
【００４６】
この鋼製床版１０は、デッキプレート１２と、Ｕリブ１４とを備えてなり、デッキプレート１２の下面にＵリブ１４が溶接で取り付けられている。鋼製床版１０は、横リブ１６とスティフナ１８によって補強および補剛されている。また、Ｕリブ１４の内面には、Ｕリブ１４の長手方向と直交するように所定の間隔で板状のダイヤフラム（図示せず）が設けられており、Ｕリブ１４の内面とデッキプレート１２の下面およびダイヤフラムによって閉鎖空間２０が形成されている。
【００４７】
デッキプレート１２、Ｕリブ１４およびデッキプレート１２とＵリブ１４との溶接部のいずれにも貫通亀裂がない状態（以下、健全な状態と記すことがある。）においては、Ｕリブ１４の内部（閉鎖空間２０）は気密性が高い。そのため、健全な状態ではＵリブ１４の内部（閉鎖空間２０）には外部から外気や水分は入り込まないため、Ｕリブ１４の内部（閉鎖空間２０）の水分量（水蒸気量）は変化しない。したがって、デッキプレート１２、Ｕリブ１４およびデッキプレート１２とＵリブ１４との溶接部のいずれにも貫通亀裂がない状態では、Ｕリブ１４の内部（閉鎖空間２０）の空気温度（気温）と相対湿度もしくは露点温度の関係は一定に保たれる。
【００４８】
一方、デッキプレート１２またはＵリブ１４に貫通亀裂が生じると、Ｕリブ１４の内部（閉鎖空間２０）の空気が外部の空気と入れ替わることができるようになる。また、水分が浸入することもあり得る。このため、外部から流入する空気や水分の影響によりＵリブ１４の内部（閉鎖空間２０）の空気温度（気温）と相対湿度もしくは露点温度の関係は健全時（デッキプレート１２、Ｕリブ１４およびデッキプレート１２とＵリブ１４との溶接部のいずれにも貫通亀裂がない時）とは異なることとなる。
【００４９】
図２はＵリブに貫通亀裂が生じた場合を模式的に示す断面図であり、図３はデッキプレートに貫通亀裂が生じた場合を模式的に示す断面図である。図２では貫通亀裂３０が溶接ルート部２２から溶接ビード２４を貫通して進展しており、図３では貫通亀裂３２が溶接ルート部２２からデッキプレート１２を貫通して進展している。図２および図３において、符号２６は舗装である。
【００５０】
図２および図３に示すように、Ｕリブ１４の内部（閉鎖空間２０）と外部とを連絡する貫通亀裂が生じてしまうと、Ｕリブ１４の内部（閉鎖空間２０）の空気は、貫通亀裂を介して外部の空気と入れ替わることができるようになってしまう。また、貫通亀裂を介して水分が浸入することもあり得る。外部から流入する空気や水分の影響により、Ｕリブ１４の内部（閉鎖空間２０）の空気温度と相対湿度もしくは露点温度との関係がどのような影響を受けるかについて、図４および図５を用いて説明する。
【００５１】
図４は、横軸にＵリブ１４の内部（閉鎖空間２０）の空気温度（気温）（℃）をとり、縦軸にＵリブ１４の内部（閉鎖空間２０）の空気の相対湿度（％）をとったグラフであり、図５は、横軸にＵリブ１４の内部（閉鎖空間２０）の空気温度（気温）（℃）をとり、縦軸にＵリブ１４の内部（閉鎖空間２０）の空気の露点温度（℃）をとったグラフである。
【００５２】
図４において、実線Ａは、デッキプレート、ＵリブおよびデッキプレートとＵリブとの溶接部のいずれにも貫通亀裂がない健全な状態のときの気温と相対湿度との関係を示し、破線Ｂおよび破線Ｃは、デッキプレート、ＵリブおよびデッキプレートとＵリブとの溶接部のうちの少なくともいずれかに貫通亀裂がある不健全な状態のときの気温と相対湿度との関係を示す。
【００５３】
図５において、実線Ｄは、デッキプレート、ＵリブおよびデッキプレートとＵリブとの溶接部のいずれにも貫通亀裂がない健全な状態のときの気温と露点温度との関係を示し、破線Ｅおよび破線Ｆは、デッキプレート、ＵリブおよびデッキプレートとＵリブとの溶接部のうちの少なくともいずれかに貫通亀裂がある不健全な状態のときの気温と露点温度との関係を示す。
【００５４】
貫通亀裂を介して雨水等の水分がＵリブ１４の内部（閉鎖空間２０）に浸入した場合や水分量の多い空気がＵリブ１４の内部（閉鎖空間２０）に浸入した場合には、Ｕリブ１４の内部（閉鎖空間２０）の空気の水分量が多くなるため、Ｕリブ１４の内部（閉鎖空間２０）の空気の相対湿度は高くなり、また、露点温度は高くなる。このため、図４において、気温と相対湿度との関係を示す線は破線Ｂの方向に移動し、図５において、気温と露点温度との関係を示す線は破線Ｅの方向に移動する。
【００５５】
貫通亀裂を介して水分量の少ない空気がＵリブ１４の内部（閉鎖空間２０）に浸入した場合には、Ｕリブ１４の内部（閉鎖空間２０）の空気の水分量が少なくなるため、Ｕリブ１４の内部（閉鎖空間２０）の空気の相対湿度は低くなり、また、露点温度は低くなる。このため、図４において、気温と相対湿度との関係を示す線は破線Ｃの方向に移動し、図５において、気温と露点温度との関係を示す線は破線Ｆの方向に移動する。
【００５６】
したがって、Ｕリブ１４の内部（閉鎖空間２０）の空気について、デッキプレート、ＵリブおよびデッキプレートとＵリブとの溶接部のいずれにも貫通亀裂がない健全な状態のときの気温と相対湿度の関係あるいは気温と露点温度の関係を予め測定しておけば、Ｕリブ１４の内部（閉鎖空間２０）の空気について、気温と相対湿度の関係あるいは気温と露点温度の関係が健全な状態のときから変化しているかどうか観測することで、閉鎖空間２０に関係するデッキプレート、ＵリブおよびデッキプレートとＵリブとの溶接部のうちの少なくともいずれかに貫通亀裂が生じているか否かを判断することができる（第１の判断方法）。あるいは、デッキプレート、ＵリブおよびデッキプレートとＵリブとの溶接部のいずれにも貫通亀裂がない健全な状態のときから連続的に、気温と相対湿度（あるいは露点温度）の関係を測定しておけば、気温と相対湿度（あるいは露点温度）の関係に変化があったとき、閉鎖空間２０に関係するデッキプレート、ＵリブおよびデッキプレートとＵリブとの溶接部のうちの少なくともいずれかに貫通亀裂が発生していると判断することができる（第１の判断方法の変形）。ここで、「気温と相対湿度（あるいは露点温度）の関係に変化があったとき」とは、例えば、横軸に気温をとり、縦軸に相対湿度（あるいは露点温度）をとって描いた当初（貫通亀裂が生じていない健全時の状態）のグラフ上に、観測した測定点が位置しなくなることを意味する。
【００５７】
あるいは、デッキプレート、ＵリブおよびデッキプレートとＵリブとの溶接部のいずれにも貫通亀裂がない健全な状態のときの気温と相対湿度の関係あるいは気温と露点温度の関係を予め測定しておかなくても、Ｕリブ１４の内部（閉鎖空間２０）の空気について、気温と相対湿度の関係あるいは気温と露点温度の関係を観測すると同時に、外気（閉鎖空間２０の外の空気）について、気温と相対湿度の関係あるいは気温と露点温度の関係を観測することによって、デッキプレート、ＵリブおよびデッキプレートとＵリブとの溶接部のうちの少なくともいずれかに貫通亀裂が生じているか否かを判断することもできる。観測対象のＵリブ１４の内部（閉鎖空間２０）に関係するデッキプレート、ＵリブおよびデッキプレートとＵリブとの溶接部のうちの少なくともいずれかに貫通亀裂が生じている場合には、Ｕリブ１４の内部（閉鎖空間２０）に外気が流入するため、Ｕリブ１４の内部（閉鎖空間２０）の空気についての気温と相対湿度の関係あるいは気温と露点温度の関係は、外気（閉鎖空間２０の外の空気）についての気温と相対湿度の関係あるいは気温と露点温度の関係と一致すると考えられる。
【００５８】
したがって、Ｕリブ１４の内部（閉鎖空間２０）の空気について、気温と相対湿度（あるいは露点温度）の関係を観測すると同時に、外気（閉鎖空間２０の外の空気）について、気温と相対湿度（あるいは露点温度）の関係を観測して、両者が一致していれば、観測対象のＵリブ１４の内部（閉鎖空間２０）に関係するデッキプレート、ＵリブおよびデッキプレートとＵリブとの溶接部のうちの少なくともいずれかに貫通亀裂が生じていると判断することができる（第２の判断方法）。
【００５９】
ただし、Ｕリブ１４の内部（閉鎖空間２０）に水分が浸入している場合には、デッキプレート、ＵリブおよびデッキプレートとＵリブとの溶接部のうちの少なくともいずれかに貫通亀裂が生じていても、両者（閉鎖空間２０とその外部）における気温と相対湿度（あるいは露点温度）の関係の観測結果が一致しないことがあり得る。また、貫通亀裂を通じて閉鎖空間２０の空気と所定時間内に入れ替わることのできる外部の空気の量には限りがあるので、デッキプレート、ＵリブおよびデッキプレートとＵリブとの溶接部のうちの少なくともいずれかに貫通亀裂が生じていたとしても、Ｕリブ１４の内部（閉鎖空間２０）の空気と外部の空気について、気温と相対湿度（あるいは露点温度）の関係が一致しないこともあり得る。したがって、この第２の判断方法を用いる場合には、先に述べた第１の判断方法か次に述べる第３の判断方法と併用することも好ましい。
【００６０】
第３の判断方法は、複数のＵリブ１４の内部（閉鎖空間２０）の空気について、気温と相対湿度（あるいは露点温度）の関係を同時に観測し、観測した気温と相対湿度（あるいは露点温度）の関係が、複数のＵリブ１４の内部（閉鎖空間２０）の空気について一致しないときには、観測した複数の閉鎖空間２０のいずれかに関係するデッキプレート、ＵリブおよびデッキプレートとＵリブとの溶接部のうちの少なくともいずれかに貫通亀裂が生じたものと判断する方法である。
【００６１】
デッキプレート、ＵリブおよびデッキプレートとＵリブとの溶接部のうちの少なくともいずれかに貫通亀裂が生じることは頻度の大きい事象ではないため、複数のＵリブ１４の内部（閉鎖空間２０）の密閉性が同時に破られることは考えにくい。このため、複数のＵリブ１４の内部（閉鎖空間２０）の空気について、気温と相対湿度の関係あるいは気温と露点温度の関係を同時に観測し、観測した気温と相対湿度の関係あるいは気温と露点温度の関係が、複数のＵリブ１４の内部（閉鎖空間２０）の空気について一致しないときには、観測した複数の閉鎖空間２０のいずれかに関係するデッキプレート、ＵリブおよびデッキプレートとＵリブとの溶接部のうちの少なくともいずれかに貫通亀裂が生じたものと判断することができる。
【００６２】
ただし、観測するＵリブ１４の内部（閉鎖空間２０）の数が２か所では、観測するＵリブ１４の内部（閉鎖空間２０）の密閉性が同時に破られる可能性を無視できないことも考えられるので、同時に観測するＵリブ１４の内部（閉鎖空間２０）の数は３か所以上にすることが好ましい。また、この第３の判断方法を用いる場合には、先に述べた第１または第２の判断方法と併用することも好ましい。
【００６３】
（２）本発明の実施形態
（２−１）第１実施形態に係る点検システムおよびそれを用いた監視システム
本発明の第１実施形態に係る点検システムでは、先に述べた第１の判断方法（観測対象のＵリブの内部（閉鎖空間）の空気について、まず健全時の気温と相対湿度（あるいは露点温度）の関係を観測しておき、点検時に観測した気温と相対湿度（あるいは露点温度）の関係と比較して、両者が一致しないときに、観測対象のＵリブの内部（閉鎖空間）に関係するデッキプレート、ＵリブおよびデッキプレートとＵリブとの溶接部のうちの少なくともいずれかに貫通亀裂が生じたものと判断する。）、あるいは先に述べた第１の判断方法の変形（デッキプレート、ＵリブおよびデッキプレートとＵリブとの溶接部のいずれにも貫通亀裂がない健全な状態のときから連続的に、気温と相対湿度（あるいは露点温度）の関係を測定しておき、気温と相対湿度（あるいは露点温度）の関係に変化があったとき、その閉鎖空間に関係するデッキプレート、ＵリブおよびデッキプレートとＵリブとの溶接部のうちの少なくともいずれかに貫通亀裂が発生していると判断する。）を用いて、観測対象のＵリブの内部（閉鎖空間）に関係するデッキプレート、ＵリブおよびデッキプレートとＵリブとの溶接部のうちの少なくともいずれかに貫通亀裂が発生しているか否かを判断する。
【００６４】
図６は、本発明の第１実施形態に係る点検システムのブロック図である。
【００６５】
この点検システム４０は、気温センサ４２と、湿度センサ４４と、Ａ／Ｄ変換器４６と、データ処理部４８とを有してなる。
【００６６】
気温センサ４２は、気温を測定する機能を有し、気温に応じた電気的信号を出力する機能を有する。このような機能を有する気温センサであれば、その測定原理やセンサ自体の形状および使用素材等は特に限定されない。気温センサ４２は、観測対象の空気の存在するところに設置する。本第１実施形態では、観測対象のＵリブの内部（閉鎖空間２００）に設置する。気温センサ４２は、気温に応じた電気的信号を、信号線を介して出力するタイプでも、無線で送信が可能なタイプでもよいが、信号線を介してＡ／Ｄ変換器４６に出力するタイプが多い。
【００６７】
湿度センサ４４は、湿度を測定する機能を有し、湿度に応じた電気的信号を出力する機能を有する。このような機能を有する湿度センサであれば、その測定原理やセンサ自体の形状および使用素材等は特に限定されない。湿度センサ４４は、観測対象の空気の存在するところに設置する。本第１実施形態では、観測対象のＵリブの内部（閉鎖空間２００）に設置する。湿度センサ４４は、湿度に応じた電気的信号を、信号線を介して出力するタイプでも、無線で送信が可能なタイプでもよいが、信号線を介してＡ／Ｄ変換器４６に出力するタイプが多い。
【００６８】
なお、本第１実施形態では、気温センサ４２と湿度センサ４４を別々のセンサとして記載しているが、気温センサと湿度センサの両方の機能を備えたセンサを用いてもよい。
【００６９】
Ａ／Ｄ変換器４６は、気温センサ４２が出力した電気的信号を受信するとともに、湿度センサ４４が出力した電気的信号を受信し、受信した電気的信号をＡ／Ｄ変換して、デジタル信号として出力する。気温センサ４２および湿度センサ４４が出力した電気的信号を、信号線を介して受信するタイプのＡ／Ｄ変換器４６が多いので、本第１実施形態ではこのタイプのＡ／Ｄ変換器４６を用いる。したがって、本第１実施形態では、気温センサ４２、湿度センサ４４およびＡ／Ｄ変換器４６を、同一の閉鎖空間２００内に設置する。なお、気温センサ４２および湿度センサ４４が電気的信号を無線で出力し、Ａ／Ｄ変換器４６は、その電気的信号を無線で受信するタイプであってもよい。この場合、気温センサ４２、湿度センサ４４を設置する閉鎖空間２００の外に、Ａ／Ｄ変換器４６を設置することも可能である。
【００７０】
前述したように本第１実施形態では、Ａ／Ｄ変換器４６は、信号線を介して電気的信号を受信するタイプを用いるが、出力についてはデジタル信号を無線で送信できるタイプの方が好ましい。無線で送信できるタイプにすることにより、データ処理部４８を閉鎖空間２００の外に配置しても、閉鎖空間２００に関係するデッキプレート１２またはＵリブ１４に貫通孔を開けることなく、Ａ／Ｄ変換器４６から出力される電気的信号をデータ処理部４８に伝達することができる。なお、Ａ／Ｄ変換器４６を、信号線を介して電気的信号を出力するタイプにしてもよいが、この場合、閉鎖空間２００に関係するデッキプレート１２またはＵリブ１４に貫通孔を開けることが必要となり、信号線を該貫通孔に通した後、該貫通孔を埋めておく必要がある。
【００７１】
データ処理部４８は、Ａ／Ｄ変換器４６が出力したデジタル信号を受信し、受信したデジタル信号を演算して、気温と相対湿度の関係を示すデータを作成する。また、データ処理部４８は、モニタ（図示せず）を備えており、作成した気温と相対湿度の関係を示すデータをモニタに表示する。さらに、データ処理部４８は、作成した気温と相対湿度の関係を示すデータに基づき、観測対象のＵリブの内部（閉鎖空間２００）に関係するデッキプレートおよびＵリブの少なくともいずれかに貫通亀裂が発生している否かを判断する。そして、その判断結果をモニタに表示する。
【００７２】
例えば、データ処理部４８は、閉鎖空間２００の点検時の気温と相対湿度の関係が、閉鎖空間２００に関係するデッキプレートおよびＵリブのいずれにも貫通亀裂が生じていない状態における閉鎖空間２００の気温と相対湿度の関係と一致しないとき、閉鎖空間２００に関係するデッキプレート、ＵリブおよびデッキプレートとＵリブとの溶接部のうちの少なくともいずれかに貫通亀裂が発生していると判断する。
【００７３】
あるいは、例えば、データ処理部４８は、Ａ／Ｄ変換器４６が出力したデジタル信号を継続的に受信し、気温と相対湿度の関係を示すデータを継続的に作成して、気温と相対湿度の関係に変化があったとき、閉鎖空間２００に関係するデッキプレート、ＵリブおよびデッキプレートとＵリブとの溶接部のうちの少なくともいずれかに貫通亀裂が発生していると判断する。ここで、「気温と相対湿度の関係に変化があったとき」とは、例えば、横軸に気温をとり、縦軸に相対湿度をとって描いた前回観測時のグラフ上に、今回観測した測定点が位置しなくなることを意味する。
【００７４】
また、データ処理部４８が、閉鎖空間２００に関係するデッキプレート、ＵリブおよびデッキプレートとＵリブとの溶接部のうちの少なくともいずれかに貫通亀裂が発生していると判断すると、データ処理部４８が警報を発するための信号を警報部５０（図７（本発明の第１実施形態に係る点検システムの変形例のブロック図）参照）に出力して、警報部５０から警報を発するように構成しておいてもよい。このように構成したシステムは、点検システム４０に警報部５０を付加したシステムであり、閉鎖空間２００に関係するデッキプレート、ＵリブおよびデッキプレートとＵリブとの溶接部のうちの少なくともいずれかに貫通亀裂が発生しているか否かを監視する監視システムである（第１実施形態に係る点検システムを用いた監視システムの第１例）。
【００７５】
また、点検システム４０に通信部５２（図７参照）を付加してもよい。通信部５２は、データ処理部４８が出力した気温と相対湿度の関係を示すデータを受信し、外部のコンピュータ５４（図７参照）に出力する。外部のコンピュータ５４は、通信部５２から受信したデータ（データ処理部４８が出力した気温と相対湿度の関係を示すデータ）をモニタ（図示せず）に表示し、観測対象の閉鎖空間２００の空気についての気温と相対湿度の関係を示すデータを点検者に伝達する。点検者は伝達されたデータの内容を、それ以前のデータや健全時のデータと比較し、観測対象の閉鎖空間２００に関係するデッキプレート、ＵリブおよびデッキプレートとＵリブとの溶接部のうちの少なくともいずれかに貫通亀裂が発生しているか否かを判断することができる。
【００７６】
あるいは、コンピュータ５４に、点検時の気温と相対湿度の関係を、それ以前のデータや健全時のデータと比較させ、観測対象の閉鎖空間２００に関係するデッキプレート、ＵリブおよびデッキプレートとＵリブとの溶接部のうちの少なくともいずれかに貫通亀裂が発生しているか否かをコンピュータ５４に判断させてモニタに表示するようにしてもよい。さらに、コンピュータ５４が、観測対象の閉鎖空間２００に関係するデッキプレート、ＵリブおよびデッキプレートとＵリブとの溶接部のうちの少なくともいずれかに貫通亀裂が発生していると判断した場合には、警報部５６（図７参照）から警報を発するように構成してもよい（第１実施形態に係る点検システムを用いた監視システムの第２例）。
【００７７】
また、点検システム４０にデータ記憶部５８（図７参照）を付加してもよい。データ記憶部５８は、データ処理部４８が出力した気温と相対湿度の関係を示すデータを記憶する役割を有する。通信部５２が故障して通信機能を果たせないときなどは、データ記憶部５８から気温と相対湿度の関係を示すデータを読み出し、観測対象の閉鎖空間２００に関係するデッキプレート、ＵリブおよびデッキプレートとＵリブとの溶接部のうちの少なくともいずれかに貫通亀裂が発生しているか否かを判断することができる。
【００７８】
以上説明した第１実施形態に係る点検システムおよびそれを用いた監視システムでは湿度センサ４４を用いたが、湿度センサ４４に替えて露点温度センサ（図示せず）を用いてもよい。この場合には、気温と相対湿度の関係を示すデータを用いる替わりに気温と露点温度の関係を示すデータを用いて、観測対象の閉鎖空間２００に関係するデッキプレート、ＵリブおよびデッキプレートとＵリブとの溶接部のうちの少なくともいずれかに貫通亀裂が発生しているか否かを判断する。
【００７９】
（２−２）第１実施形態に係る点検システムに対応する点検方法およびそれを用いた監視方法
第１実施形態に係る点検システムに対応する点検方法の第１例を図８のフローチャートを用いて説明する。
【００８０】
まず、閉鎖空間２００に関係するデッキプレート、ＵリブおよびデッキプレートとＵリブとの溶接部のいずれにも貫通亀裂が発生していない健全時の状態において、閉鎖空間２００の空気について気温と相対湿度との関係を観測する（健全時観測工程（ステップＳ１））。
【００８１】
次に、点検時に、閉鎖空間２００の空気について気温と相対湿度との関係を観測する（点検時観測工程（ステップＳ２））。
【００８２】
次に、健全時の閉鎖空間２００の空気について観測した気温と相対湿度との関係と、点検時の閉鎖空間２００の空気について観測した気温と相対湿度との関係を比較し、健全時と点検時で一致しているかどうか判断する（ステップＳ３）。
【００８３】
一致していれば、閉鎖空間２００に関係するデッキプレートおよびＵリブに貫通亀裂が発生していないと判断し（ステップＳ４）、一致していなければ、閉鎖空間２００に関係するデッキプレート、ＵリブおよびデッキプレートとＵリブとの溶接部のうちの少なくともいずれかに貫通亀裂が発生していると判断する（ステップＳ５）。
【００８４】
本発明の第１実施形態に係る点検システムに対応する点検方法の第２例を図９のフローチャートを用いて説明する。
【００８５】
まず、閉鎖空間２００に関係するデッキプレート、ＵリブおよびデッキプレートとＵリブとの溶接部のいずれにも貫通亀裂が発生していない健全時の状態から継続的に、閉鎖空間２００の空気について気温と相対湿度との関係を観測する（ステップＳ１１）。
【００８６】
気温と相対湿度の関係に変化があったかどうか判断する（ステップＳ１２）。気温と相対湿度の関係に変化があった場合、その閉鎖空間２００に関係するデッキプレート、ＵリブおよびデッキプレートとＵリブとの溶接部のうちの少なくともいずれかに貫通亀裂が発生していると判断する（ステップＳ１３）。気温と相対湿度の関係に変化がなかった場合、その閉鎖空間２００に関係するデッキプレート、ＵリブおよびデッキプレートとＵリブとの溶接部のいずれにも貫通亀裂が発生していないと判断し（ステップＳ１４）、再びステップＳ１１にもどり、継続的に閉鎖空間２００の空気について気温と相対湿度との関係を観測する。
【００８７】
以上説明した本発明の第１実施形態に係る点検システムに対応する点検方法の２つの例において、相対湿度を観測するのに替えて露点温度を観測してもよい。
【００８８】
次に、本発明の第１実施形態に係る点検システムに対応する点検方法を用いた監視方法について説明する。図１０は、第１実施形態に係る点検システムに対応する点検方法を用いた監視方法の第１例を示すフローチャートである。
【００８９】
この監視方法は、第１実施形態に係る点検システムに対応する点検方法の第１例（図８参照）において、貫通亀裂発生と判断したステップＳ５の後に、警報を発するステップＳ６を付加した監視方法である。ステップＳ４で貫通亀裂の発生なしと判断した場合には、ステップＳ２にもどり、監視を続ける。
【００９０】
また、図１１は、第１実施形態に係る点検システムに対応する点検方法を用いた監視方法の第２例を示すフローチャートである。
【００９１】
この監視方法は、第１実施形態に係る点検システムに対応する点検方法の第２例（図９参照）において、貫通亀裂発生と判断したステップＳ１３の後に、警報を発するステップＳ１５を付加した監視方法である。ステップＳ１４で貫通亀裂の発生なしと判断した場合には、ステップＳ１１にもどり、監視を続ける。
【００９２】
（２−３）第２実施形態に係る点検システムおよびそれを用いた監視システム
本発明の第２実施形態に係る点検システムでは、先に述べた第２の判断方法（観測対象のＵリブの内部（閉鎖空間）の空気とＵリブの外部（外部空間）の空気について、同時に、気温と相対湿度（あるいは露点温度）の関係を観測しておき、両者を比較して、両者が一致するときに、観測対象のＵリブの内部（閉鎖空間）に関係するデッキプレート、ＵリブおよびデッキプレートとＵリブとの溶接部のうちの少なくともいずれかに貫通亀裂が生じたものと判断する方法。）を用いて、観測対象のＵリブの内部（閉鎖空間）に関係するデッキプレート、ＵリブおよびデッキプレートとＵリブとの溶接部のうちの少なくともいずれかに貫通亀裂が発生しているか否かを判断する。
【００９３】
図１２は、本発明の第２実施形態に係る点検システムのブロック図であるが、第１実施形態に係る点検システム４０の構成要素と同一または対応する構成要素には同一の符号を付して説明は省略する。
【００９４】
第２実施形態に係る点検システム６０は、気温センサ４２、湿度センサ４４およびＡ／Ｄ変換器４６を観測対象のＵリブの内部（閉鎖空間２００）に設置した第１実施形態に係る点検システム４０に、気温センサ６２、湿度センサ６４およびＡ／Ｄ変換器６６を観測対象のＵリブの外部（外部空間２０２）に設置した点検システムを加えた点検システムである。気温センサ６２の機能は気温センサ４２の機能と同様であり、湿度センサ６４の機能は湿度センサ４４の機能と同様であり、Ａ／Ｄ変換器６６の機能はＡ／Ｄ変換器４６の機能と同様である。気温センサ４２および湿度センサ４４からの出力はＡ／Ｄ変換器４６に入力されてデジタル信号に変換され、そのデジタル信号はデータ処理部６８に出力される。また、気温センサ６２および湿度センサ６４からの出力はＡ／Ｄ変換器６６に入力されてデジタル信号に変換され、そのデジタル信号はデータ処理部６８に無線で出力される。
【００９５】
気温センサ４２、湿度センサ４４およびＡ／Ｄ変換器４６は、Ｕリブの内部（閉鎖空間２００）の空気についての気温と相対湿度の関係を観測するので、内気観測手段ということができる。
【００９６】
また、気温センサ６２、湿度センサ６４およびＡ／Ｄ変換器６６は、観測対象のＵリブの外部（外部空間２０２）の空気についての気温と相対湿度の関係を観測するので、外気観測手段ということができる。
【００９７】
データ処理部６８は、受信したデジタル信号を演算して、観測対象の閉鎖空間２００の空気についての気温と相対湿度の関係を示すデータを作成するとともに、外部空間２０２の空気についての気温と相対湿度の関係を示すデータを作成する。また、データ処理部６８は、モニタ（図示せず）を備えており、作成した気温と相対湿度の関係を示すデータをモニタに表示する。さらに、データ処理部６８は、作成した気温と相対湿度の関係を示すデータに基づき、観測対象のＵリブの内部（閉鎖空間２００）に関係するデッキプレートおよびＵリブの少なくともいずれかに貫通亀裂が発生している否かを判断する。そして、その判断結果をモニタに表示する。
【００９８】
例えば、データ処理部６８は、観測対象の閉鎖空間２００の空気についての気温と相対湿度の関係が、外部空間２０２の空気についての気温と相対湿度の関係と一致するとき、閉鎖空間２００に関係するデッキプレート、ＵリブおよびデッキプレートとＵリブとの溶接部のうちの少なくともいずれかに貫通亀裂が発生していると判断する。
【００９９】
また、データ処理部６８が、閉鎖空間２００に関係するデッキプレート、ＵリブおよびデッキプレートとＵリブとの溶接部のうちの少なくともいずれかに貫通亀裂が発生していると判断すると、データ処理部６８が警報を発するための信号を警報部７０（図１３（本発明の第２実施形態に係る点検システムの変形例のブロック図）参照）に出力するようにして、警報部７０から警報を発するように構成しておいてもよい。このように構成したシステムは、点検システム６０に警報部７０を付加したシステムであり、閉鎖空間２００に関係するデッキプレート、ＵリブおよびデッキプレートとＵリブとの溶接部のうちの少なくともいずれかに貫通亀裂が発生しているか否かを監視する監視システムである（第２実施形態に係る点検システムを用いた監視システムの第１例）。
【０１００】
また、点検システム６０に通信部７２（図１３参照）を付加してもよい。通信部７２は、データ処理部６８が出力した気温と相対湿度の関係を示すデータを受信し、外部のコンピュータ７４（図１３参照）に出力する。外部のコンピュータ７４は通信部７２から受信したデータ（データ処理部６８が出力した気温と相対湿度の関係を示すデータ）をモニタ（図示せず）に表示し、観測対象の閉鎖空間２００の空気についての気温と相対湿度の関係を示すデータおよび外部空間２０２の空気についての気温と相対湿度の関係を示すデータを点検者に伝達する。点検者は伝達された閉鎖空間２００および外部空間２０２のデータの内容を比較し、観測対象の閉鎖空間２００に関係するデッキプレート、ＵリブおよびデッキプレートとＵリブとの溶接部のうちの少なくともいずれかに貫通亀裂が発生しているか否かを判断することができる。
【０１０１】
あるいは、コンピュータ７４に、観測対象の閉鎖空間２００の空気についての気温と相対湿度の関係を、外部空間２０２の空気についての気温と相対湿度の関係と比較させ、観測対象の閉鎖空間２００に関係するデッキプレート、ＵリブおよびデッキプレートとＵリブとの溶接部のうちの少なくともいずれかに貫通亀裂が発生しているか否かをコンピュータ７４に判断させてモニタに表示するようにしてもよい。さらに、コンピュータ７４が、観測対象の閉鎖空間２００に関係するデッキプレート、ＵリブおよびデッキプレートとＵリブとの溶接部のうちの少なくともいずれかに貫通亀裂が発生していると判断した場合には、警報部７６から警報を発するように構成してもよい（第２実施形態に係る点検システムを用いた監視システムの第２例）。
【０１０２】
また、点検システム６０にデータ記憶部７８（図１３参照）を付加してもよい。データ記憶部７８は、データ処理部６８が出力した気温と相対湿度の関係を示すデータを記憶する役割を有する。通信部７２が故障して通信機能を果たせないときなどは、データ記憶部７８から気温と相対湿度の関係を示すデータを読み出し、観測対象の閉鎖空間２００に関係するデッキプレート、ＵリブおよびデッキプレートとＵリブとの溶接部のうちの少なくともいずれかに貫通亀裂が発生している否かを判断することができる。
【０１０３】
以上説明した第２実施形態に係る点検システムおよびそれを用いた監視システムでは湿度センサ４４、６４を用いたが、湿度センサ４４、６４に替えて露点温度センサ（図示せず）を用いてもよい。この場合には、気温と相対湿度の関係を示すデータを用いる替わりに気温と露点温度の関係を示すデータを用いて、観測対象の閉鎖空間２００に関係するデッキプレート、ＵリブおよびデッキプレートとＵリブとの溶接部のうちの少なくともいずれかに貫通亀裂が発生している否かを判断する。
【０１０４】
（２−４）第２実施形態に係る点検システムに対応する点検方法およびそれを用いた監視方法
第２実施形態に係る点検システムに対応する点検方法の例を図１４のフローチャートを用いて説明する。
【０１０５】
まず、閉鎖空間２００の空気について気温と相対湿度との関係を観測すると同時に、外部空間２０２の空気についての気温と相対湿度の関係を観測する（ステップＳ２１）。
【０１０６】
次に、閉鎖空間２００の空気について観測した気温と相対湿度との関係と、外部空間２０２の空気について観測した気温と相対湿度との関係を比較し、一致しているかどうか判断する（ステップＳ２２）。
【０１０７】
一致していれば、閉鎖空間２００に関係するデッキプレート、ＵリブおよびデッキプレートとＵリブとの溶接部のうちの少なくともいずれかに貫通亀裂が発生していると判断し（ステップＳ２３）、一致していなければ、閉鎖空間２００に関係するデッキプレート、ＵリブおよびデッキプレートとＵリブとの溶接部のいずれにも貫通亀裂が発生していないと判断する（ステップＳ２４）。
【０１０８】
以上説明した本発明の第２実施形態に係る点検システムに対応する点検方法の例において、相対湿度を観測するのに替えて露点温度を観測してもよい。
【０１０９】
次に、本発明の第２実施形態に係る点検システムに対応する点検方法を用いた監視方法について説明する。図１５は、第２実施形態に係る点検システムに対応する点検方法を用いた監視方法の例を示すフローチャートである。
【０１１０】
この監視方法は、第２実施形態に係る点検システムに対応する点検方法の例（図１４参照）において、貫通亀裂発生と判断したステップＳ２３の後に、警報を発するステップＳ２５を付加した監視方法である。ステップＳ２４で貫通亀裂の発生なしと判断した場合には、ステップＳ２１にもどり、監視を続ける。
【０１１１】
（２−５）第３実施形態に係る点検システムおよびそれを用いた監視システム
本発明の第３実施形態に係る点検システムでは、先に述べた第３の判断方法（複数のＵリブの内部（閉鎖空間）の空気について、気温と相対湿度（あるいは露点温度）の関係を同時に観測し、観測した気温と相対湿度（あるいは露点温度）の関係が、複数のＵリブの内部（閉鎖空間）の空気について一致しないときには、観測した複数の閉鎖空間のいずれかに関係するデッキプレート、ＵリブおよびデッキプレートとＵリブとの溶接部のうちの少なくともいずれかに貫通亀裂が生じたものと判断する方法。）を用いて、観測対象の複数のＵリブの内部（閉鎖空間）に関係するデッキプレート、ＵリブおよびデッキプレートとＵリブとの溶接部のうちの少なくともいずれかに貫通亀裂が発生しているか否かを判断する。
【０１１２】
図１６は、本発明の第３実施形態に係る点検システムのブロック図であるが、第１実施形態に係る点検システム４０の構成要素と同一または対応する構成要素には同一の符号を付して説明は省略する。
【０１１３】
第３実施形態に係る点検システム８０は、気温センサ４２、湿度センサ４４およびＡ／Ｄ変換器４６を観測対象のＵリブの内部（閉鎖空間２００）に設置した第１実施形態に係る点検システム４０に、気温センサ８２、湿度センサ８４およびＡ／Ｄ変換器８６を別の観測対象のＵリブの内部（閉鎖空間２０４）に設置した点検システムを加えた点検システムである。気温センサ８２の機能は気温センサ４２の機能と同様であり、湿度センサ８４の機能は湿度センサ４４の機能と同様であり、Ａ／Ｄ変換器８６の機能はＡ／Ｄ変換器４６の機能と同様である。気温センサ４２および湿度センサ４４からの出力はＡ／Ｄ変換器４６に入力されてデジタル信号に変換され、そのデジタル信号はデータ処理部８８に出力される。また、気温センサ８２および湿度センサ８４からの出力はＡ／Ｄ変換器８６に入力されてデジタル信号に変換され、そのデジタル信号はデータ処理部８８に無線で出力される。
【０１１４】
データ処理部８８は、受信したデジタル信号を演算して、観測対象の閉鎖空間２００の空気についての気温と相対湿度の関係を示すデータを作成するとともに、別の観測対象の閉鎖空間２０４の空気についての気温と相対湿度の関係を示すデータを作成する。また、データ処理部８８は、モニタ（図示せず）を備えており、作成した気温と相対湿度の関係を示すデータをモニタに表示する。さらに、データ処理部８８は、作成した気温と相対湿度の関係を示すデータに基づき、観測対象のＵリブの内部（閉鎖空間２００または閉鎖空間２０４）に関係するデッキプレート、ＵリブおよびデッキプレートとＵリブとの溶接部のうちの少なくともいずれかに貫通亀裂が発生している否かを判断する。そして、その判断結果をモニタに表示する。
【０１１５】
例えば、データ処理部８８は、観測対象の閉鎖空間２００の空気についての気温と相対湿度の関係が、別の観測対象の閉鎖空間２０４の空気についての気温と相対湿度の関係と一致しないとき、閉鎖空間２００または閉鎖空間２０４に関係するデッキプレート、ＵリブおよびデッキプレートとＵリブとの溶接部のうちの少なくともいずれかに貫通亀裂が発生していると判断する。
【０１１６】
また、データ処理部８８が、閉鎖空間２００または閉鎖空間２０４に関係するデッキプレート、ＵリブおよびデッキプレートとＵリブとの溶接部のうちの少なくともいずれかに貫通亀裂が発生していると判断すると、データ処理部８８が警報を発するための信号を警報部９０（図１７（本発明の第３実施形態に係る点検システムの変形例のブロック図）参照）に出力するようにして、警報部９０から警報を発するように構成しておいてもよい。このように構成したシステムは、点検システム８０に警報部９０を付加したシステムであり、閉鎖空間２００または閉鎖空間２０４に関係するデッキプレート、ＵリブおよびデッキプレートとＵリブとの溶接部のうちの少なくともいずれかに貫通亀裂が発生しているか否かを監視する監視システムである（第３実施形態に係る点検システムを用いた監視システムの第１例）。
【０１１７】
また、点検システム８０に通信部９２（図１７参照）を付加してもよい。通信部９２は、データ処理部８８が出力した気温と相対湿度の関係を示すデータを受信し、外部のコンピュータ９４（図１７参照）に出力する。外部のコンピュータ９４は通信部９２から受信したデータ（データ処理部８８が出力した気温と相対湿度の関係を示すデータ）をモニタ（図示せず）に表示し、観測対象の閉鎖空間２００の空気についての気温と相対湿度の関係を示すデータおよび別の観測対象の閉鎖空間２０４の空気についての気温と相対湿度の関係を示すデータを点検者に伝達する。点検者は伝達された閉鎖空間２００および閉鎖空間２０４のデータの内容を比較し、観測対象の閉鎖空間２００または閉鎖空間２０４に関係するデッキプレート、ＵリブおよびデッキプレートとＵリブとの溶接部のうちの少なくともいずれかに貫通亀裂が発生しているか否かを判断することができる。
【０１１８】
あるいは、コンピュータ９４に、観測対象の閉鎖空間２００の空気についての気温と相対湿度の関係と、別の観測対象の閉鎖空間２０４の空気についての気温と相対湿度の関係を比較させ、観測対象の閉鎖空間２００または閉鎖空間２０４に関係するデッキプレート、ＵリブおよびデッキプレートとＵリブとの溶接部のうちの少なくともいずれかに貫通亀裂が発生しているか否かをコンピュータ９４に判断させてモニタに表示するようにしてもよい。さらに、コンピュータ９４が、観測対象の閉鎖空間２００または閉鎖空間２０４に関係するデッキプレート、ＵリブおよびデッキプレートとＵリブとの溶接部のうちの少なくともいずれかに貫通亀裂が発生していると判断した場合には、警報部９６から警報を発するように構成してもよい（第３実施形態に係る点検システムを用いた監視システムの第２例）。
【０１１９】
また、点検システム８０にデータ記憶部９８（図１７参照）を付加してもよい。データ記憶部９８は、データ処理部８８が出力した気温と相対湿度の関係を示すデータを記憶する役割を有する。通信部９２が故障して通信機能を果たせないときなどは、データ記憶部９８から気温と相対湿度の関係を示すデータを読み出し、観測対象の閉鎖空間２００または閉鎖空間２０４に関係するデッキプレート、ＵリブおよびデッキプレートとＵリブとの溶接部のうちの少なくともいずれかに貫通亀裂が発生しているか否かを判断することができる。
【０１２０】
以上説明した第３実施形態に係る点検システムおよびそれを用いた監視システムでは湿度センサ４４、８４を用いたが、湿度センサ４４、８４に替えて露点温度センサ（図示せず）を用いてもよい。この場合には、気温と相対湿度の関係を示すデータを用いる替わりに気温と露点温度の関係を示すデータを用いて、観測対象の閉鎖空間２００または閉鎖空間２０４に関係するデッキプレート、ＵリブおよびデッキプレートとＵリブとの溶接部のうちの少なくともいずれかに貫通亀裂が発生しているか否かを判断する。
【０１２１】
（２−６）第３実施形態に係る点検システムに対応する点検方法およびそれを用いた監視方法
第３実施形態に係る点検システムに対応する点検方法の例を図１８のフローチャートを用いて説明する。
【０１２２】
まず、閉鎖空間２００の空気について気温と相対湿度との関係を観測すると同時に、別の閉鎖空間２０４の空気についての気温と相対湿度の関係を観測する（ステップＳ３１）。
【０１２３】
次に、閉鎖空間２００の空気について観測した気温と相対湿度との関係と、閉鎖空間２０４の空気について観測した気温と相対湿度との関係を比較し、一致しているかどうか判断する（ステップＳ３２）。
【０１２４】
一致していれば、閉鎖空間２００または閉鎖空間２０４に関係するデッキプレート、ＵリブおよびデッキプレートとＵリブとの溶接部のいずれにも貫通亀裂が発生していないと判断し（ステップＳ３３）、一致していなければ、閉鎖空間２００または閉鎖空間２０４に関係するデッキプレート、ＵリブおよびデッキプレートとＵリブとの溶接部のうちの少なくともいずれかに貫通亀裂が発生していると判断する（ステップＳ３４）。
【０１２５】
以上説明した本発明の第３実施形態に係る点検システムに対応する点検方法の例において、相対湿度を観測するのに替えて露点温度を観測してもよい。
【０１２６】
次に、本発明の第３実施形態に係る点検システムに対応する点検方法を用いた監視方法について説明する。図１９は、第３実施形態に係る点検システムに対応する点検方法を用いた監視方法の例を示すフローチャートである。
【０１２７】
この監視方法は、第３実施形態に係る点検システムに対応する点検方法の例（図１８参照）において、貫通亀裂発生と判断したステップＳ３４の後に、警報を発するステップＳ３５を付加した監視方法である。ステップＳ３３で貫通亀裂の発生なしと判断した場合には、ステップＳ３１にもどり、監視を続ける。
【符号の説明】
【０１２８】
１０、５００…鋼製床版
１２、５０２…デッキプレート
１４、５０４…Ｕリブ
１６…横リブ
１８…スティフナ
２０…閉鎖空間
２２、５０８…溶接ルート部
２４、５０６…溶接ビード
２６、６００…舗装
３０、３２…貫通亀裂
４０、６０、８０…点検システム
４２、６２、８２…気温センサ
４４、６４、８４…湿度センサ
４６、６６、８６…Ａ／Ｄ変換器
４８、６８、８８…データ処理部
５０、７０、９０…警報部
５２、７２、９２…通信部
５４、７４、９４…コンピュータ
５６、７６、９６…警報部
５８、７８、９８…データ記憶部
２００、２０４…閉鎖空間
２０２…外部空間
５１０、５１２…疲労亀裂
【図１】
0006264256.tif 000002
【図２】
0006264256.tif 000003
【図３】
0006264256.tif 000004
【図４】
0006264256.tif 000005
【図５】
0006264256.tif 000006
【図６】
0006264256.tif 000007
【図７】
0006264256.tif 000008
【図８】
0006264256.tif 000009
【図９】
0006264256.tif 000010
【図１０】
0006264256.tif 000011
【図１１】
0006264256.tif 000012
【図１２】
0006264256.tif 000013
【図１３】
0006264256.tif 000014
【図１４】
0006264256.tif 000015
【図１５】
0006264256.tif 000016
【図１６】
0006264256.tif 000017
【図１７】
0006264256.tif 000018
【図１８】
0006264256.tif 000019
【図１９】
0006264256.tif 000020
【図２０】
0006264256.tif 000021
【図２１】
0006264256.tif 000022